(57)【要約】      （修正有）【課題】手術ライトのハンドルに套設し、且つ手術ライトのハンドルに夾持して固定できる手術ライト用ハンドルカバーの構造を提供する。【解決手段】主にリングウィングプレート１００、一つカバーチューブ２００で構成する手術ライト用ハンドルカバーの構造である。カバーチューブ２００の内側に複数の弾性アームを凸設し、弾性アームはそれぞれカバーチューブ２００の内壁からカバーチューブ２００の内側に向って延伸し、且つ弾性アームは様々な長さを具有し、且つ少なくとも三層の排列を呈する。異なるサイズの手術ライトのハンドルに使用することができる。【選択図】図２
0003212646.tif 000002
【実用新案登録請求の範囲】
【請求項１】
リングウィングプレート、一つカバーチューブを含み、
リングウィングプレートに一つのカバーホールを開設し、及び、
カバーチューブを該カバーホールの中に挿入し、該カバーチューブ内には複数の弾性アームを凸設し、該複数の弾性アームはそれぞれ該カバーチューブの内壁から該カバーチューブの内側に向って延伸し、且つ該弾性アームは様々な長さを具有し、且つ少なくとも三層に排列することを特徴とする手術ライト用ハンドルカバーの構造。
【請求項２】
更に一つのチューブバッグを含み、該チューブバッグの一端は開口状を呈し、且つ該カバーホールの内壁及び該カバーチューブの外壁との間で夾持することを特徴とする請求項１記載の手術ライト用ハンドルカバーの構造。
【請求項３】
その中、該複数の弾性アームに含まれるのは、複数の第一弾性アーム、及び複数の第二弾性アームであり、該複数の第一弾性アームの長さは同じ長さであり、該複数の第二弾性アームの長さは同じ長さであり、且つ各該第一弾性アームの長さより短いことを特徴とする請求項１記載の手術ライト用ハンドルカバーの構造。
【請求項４】
その中、該複数の第一弾性アームはカバーチューブの円周の周りに沿って、該カバーチューブの一端に輪列し、且つ該複数の第二弾性アームは該カバーチューブの円周の周りに沿って、該カバーチューブの別端に輪列することを特徴とする請求項３記載の手術ライト用ハンドルカバーの構造。
【請求項５】
その中、該複数の第一弾性アーム及び該複数の第二弾性アームはカバーチューブの円周の周りに沿って交互に交差して輪列に配置することを特徴とする請求項４記載の手術ライト用ハンドルカバーの構造。
【請求項６】
その中、該複数の第一弾性アーム及び該複数の第二弾性アームは該カバーチューブの円周の周りに沿って該カバーチューブの一端に交互に交差して輪列に配置することを特徴とする請求項３記載の手術ライト用ハンドルカバーの構造。
【請求項７】
その中、該複数の弾性アームに複数の第三弾性アームを含み、該複数の第三弾性アームの長さは同じ長さであり、且つ各該第三弾性アームの長さと各該第一弾性アームの長さ、及び各該第二弾性アームの長さは異なることを特徴とする請求項３記載の手術ライト用ハンドルカバーの構造。
【請求項８】
その中、該複数の第一弾性アーム、該複数の第二弾性アーム及び該複数の第三弾性アームは該カバーチューブの円周の周りに沿って該カバーチューブの一端に交互に交差して輪列に配置することを特徴とする請求項７記載の手術ライト用ハンドルカバーの構造。
【請求項９】
その中、該複数の第一弾性アームは該カバーチューブの円周の周りに沿って、該カバーチューブの一端に輪列し、該複数の第二弾性アームは該カバーチューブの円周の周りに沿って、該カバーチューブの別端に輪列し、該複数の第三弾性アームは該カバーチューブの円周の周りに沿って、該カバーチューブの二端の間に輪列することを特徴とする請求項７記載の手術ライト用ハンドルカバーの構造。
【請求項１０】
その中、該複数の第一弾性アーム、該複数の第二弾性アーム及び該複数の第三弾性アームは該カバーチューブの円周の周りに沿って交互に交差して輪列に配置することを特徴とする請求項９記載の手術ライト用ハンドルカバーの構造。
【請求項１１】
その中、各該第一弾性アームの長さが各該第二弾性アームの長さ及び各該第三弾性アームの長さより長く、且つ少なくとも一つの該第二弾性アームの末端及び少なくとも一つの該第三弾性アームの末端とそれぞれ一つの円弧縁を形成することを特徴とする請求項７記載の手術ライト用ハンドルカバーの構造。
【請求項１２】
その中、少なくとも一つの該弾性アームの末端に一つの円弧縁を形成することを特徴とする請求項１記載の手術ライト用ハンドルカバーの構造。
【請求項１３】
その中、該カバーチューブの一端の外壁に、外向けに一つのブロックウォールを凸設し、該カバーチューブの別端には該ブロックウォールに対応する一つの掛止フックを設け、該ブロックウォール及び該掛止フックは該カバーホールの縁を夾持することを特徴とする請求項１記載の手術ライト用ハンドルカバーの構造。
【請求項１４】
その中、該複数の弾性アームは三層よりも多い多層の排列を呈することを特徴とする請求項１記載の手術ライト用ハンドルカバーの構造。
【考案の詳細な説明】
【技術分野】
【０００１】
本考案は医療設備消耗器材のものに関し、特に手術ライト用のハンドルカバーの構造に関する。
【背景技術】
【０００２】
図１に示すように、手術ライト１０は手術中に使用するライトである。一般的に手術ライト１０の体積は大きく、調整しにくいため、手術ライト１０の中心に下向きに一つのハンドル１１を凸設することが多く、手術を行う医療スタッフが片手でそのハンドル１１を握って手術ライト１０の位置及び投射角度を調整することができる。しかし、医療スタッフが手術の過程において、手は汚れやすく、ハンドル１１も掃除及び消毒しにくいものであるため、汚染を避けるためにもハンドル１１に使い捨てのハンドルカバー２０を套設することが必要である。
【０００３】
一般的にハンドルカバー２０に含まれるのは一つの棒状のプラスティックカバー２１及び一つの穴の開いたプレート２２である。穴に一つの内リング２３を設け、且つプラスティックカバー２１の開口は穴及び内リング２３の間を夾持する。プラスティックカバー２１をハンドル１１に套設する時、内リング２３はハンドル１１を夾持してプラスティックカバー２１を固定する。一般的に内リング２３は内側に複数の弾性アーム２４を延伸することでハンドル１１を夾持する。ただ、異なる外径のハンドル１１には、それに対応する長さの弾性アーム２４を使用する必要があり、メーカーは様々なサイズのハンドルカバー２０を作る必要があるため、異なるサイズの金型を購入することで、大幅にコストが上がることを鑑みて、更なる改善が必要であった。
【先行技術文献】
【特許文献】
【０００４】
【特許文献１】特表2005-518247号公報
【考案の概要】
【考案が解決しようとする課題】
【０００５】
前記公知構造の欠点を解決するため、手術ライトのハンドルに套設し、且つ手術ライトのハンドルに夾持して固定できる手術ライト用ハンドルカバーの構造を提供することを主な課題とする。
【課題を解決するための手段】
【０００６】
上述の目的を解決するために、本考案は手術ライト用ハンドルカバーの構造を提供するものである。それに含まれるのは一つのリングウィングプレート及び一つのカバーチューブを含み、該カバーチューブの内部に複数の弾性アームを凸設し、弾性アームはそれぞれカバーチューブの内壁からカバーチューブの内側に向って延伸し、且つ弾性アームには様々な長さを具有する。
【０００７】
本考案の手術ライト用ハンドルカバーが更に含むのは一つのチューブバッグである。チューブバッグの一端は開口状を呈し、且つカバーホールの内壁及びカバーチューブの外壁との間で夾持する。
【０００８】
本考案の手術ライト用ハンドルカバーの弾性アームに含まれるのは、複数の第一弾性アーム、及び複数の第二弾性アームであり、第一弾性アームの長さは同じ長さであり、第二弾性アームの長さは同じ長さであり、且つ各第一弾性アームの長さより短い。第一弾性アームはカバーチューブの円周の周りに沿って、カバーチューブの一端に輪列し、且つ第二弾性アームは該カバーチューブの円周の周りに沿って、カバーチューブの別端に輪列する。しかも第一弾性アーム及び第二弾性アームの最良実施例は、カバーチューブの円周の周りに沿って交互に交差して輪列に配置する。第一弾性アーム及び第二弾性アームはカバーチューブの円周の周りに沿って該カバーチューブの一端に交互に交差して輪列に配置することもできる。
【０００９】
本考案の手術ライト用ハンドルカバーの弾性アームに複数の第三弾性アームを含むことができ、第三弾性アームの長さは同じ長さであり、且つ各第三弾性アームの長さと各第一弾性アームの長さ、及び各第二弾性アームの長さは異なる。
【００１０】
本考案の手術ライト用ハンドルカバーの第一弾性アーム、第二弾性アーム及び第三弾性アームはカバーチューブの円周の周りに沿ってカバーチューブの一端に交互に交差して輪列に配置することができる。もう一つ可能な配置は、第一弾性アームはカバーチューブの円周の周りに沿って、カバーチューブの一端に輪列する。第二弾性アームはカバーチューブ０の円周の周りに沿って、カバーチューブの別端に輪列し、且つ第三弾性アームはカバーチューブの円周の周りに沿って、カバーチューブの二端の間に輪列する。しかも第一弾性アーム、第二弾性アーム及び第三弾性アームはカバーチューブの円周の周りに沿って交互に交差して輪列に配置する。
【００１１】
本考案の手術ライト用ハンドルカバーの少なくとも一つの弾性アームの末端に一つの円弧縁を形成する。最良実施例は、各第一弾性アームの長さが各第二弾性アームの長さ及び各第三弾性アームの長さより長く、且つ少なくとも一つの第二弾性アームの末端及び少なくとも一つの第三弾性アームの末端とそれぞれ一つの円弧縁を形成する。
【００１２】
本考案の手術ライト用ハンドルカバーのカバーチューブの一端の外壁に、外向けに一つのブロックウォールを凸設し、カバーチューブの別端には該ブロックウォールに対応する一つの掛止フックを設け、ブロックウォール及び掛止フックはカバーホールの縁を夾持する。
【００１３】
本考案の手術ライト用ハンドルカバーの弾性アームは三層よりも多い多層の排列を呈することができる。
【考案の効果】
【００１４】
本考案の手術ライト用ハンドルカバーの弾性アームは様々な長さを具有し、多種の異なる外径のハンドルに適用することができる。また、弾性アームは同じ一つのカバーチューブに形成することで、弾性アーム同士が滑って変位し、ハンドルカバーが緩んで外れるのを避けることができる。
【図面の簡単な説明】
【００１５】
【図１】従来の手術ライトのハンドルカバーの使用状態略図である。
【図２】本考案の手術ライトのハンドルカバーの略図である。
【図３】本考案の手術ライトのハンドルカバーの略図である。
【図４】本考案の手術ライトのハンドルカバーの略図である。
【図５】本考案の手術ライトのハンドルカバーの略図である。
【図６】本考案の手術ライトのハンドルカバーの略図である。
【図７】本考案の手術ライトのハンドルカバーの略図である。
【考案を実施するための形態】
【００１６】
以下、本考案の構造と特徴および効果を、最良実施例と図面を参照しながら詳細に説明する。
【実施例】
【００１７】
図２から図４に示すのは、本考案の最良実施例が提供する一種の手術ライトのハンドルカバーである。それに含まれるのはリングウィングプレート１００、一つカバーチューブ２００及び一つのチューブバッグ３００である。リングウィングプレート１００に一つのカバーホール１０１を開設し、カバーチューブ２００をカバーホール１０１の中に挿入し、カバーチューブ２００の一端の外壁は外向けに一つのブロックウォール２０１を凸設し、カバーチューブ２００の別端にはブロックウォール２０１に対応する一つの掛止フック２０２を設ける。ブロックウォール２０１及び掛止フック２０２はカバーホール１０１の縁を夾持することで、カバーチューブ２００とリングウィングプレート１００が固定して接続する。カバーチューブ２００内には複数の弾性アームを凸設し、弾性アームはそれぞれカバーチューブ２００の内壁からカバーチューブ２００の内側に向って延伸し、且つ弾性アームは様々な長さを具有し、且つ該複数の弾性アームはそれぞれ三つの互いに平行する平面に輪列し、少なくとも三層に排列する。しかし、本考案は三層に限定されず、該複数の弾性アームもまた三つよりも多い互いに平行する平面にて輪列し、多層の排列を呈することができる。
【００１８】
よって、様々な長さの複数の弾性アームの中に、少なくとも複数の第一弾性アーム２１０及び複数の第二弾性アーム２２０を含み、各第一弾性アーム２１０及び各第二弾性アーム２２０はそれぞれカバーチューブ２００の内壁の内側に向って延伸する。その中該複数の第一弾性アーム２１０の長さは同じであり、該複数の第二弾性アーム２２０の長さは同じであり、しかも各第一弾性アーム２１０の長さと各第二弾性アーム２２０の長さは異なる。本実施例において、第二弾性アーム２２０の長さの最良実施例は、第一弾性アーム２１０の長さより短くすることであるが、本考案ではそれに制限されない。
【００１９】
本実施例において、本考案の手術ライトのハンドルカバーに用いる弾性アームの最良実施例は、更に複数の第三弾性アーム２３０を含み、且つ各第三弾性アーム２３０の長さは各第一弾性アーム２１０の長さ及び各第二弾性アーム２２０の長さと異なる。最良実施例として、該複数の第三弾性アーム２３０の長さは同じであり、且つ第三弾性アーム２３０の長さは第一弾性アーム２１０の長さ及び第二弾性アーム２２０の長さの間である。本実施例において、少なくとも一つの第二弾性アーム２２０の末端及び少なくとも一つの第三弾性アーム２３０の末端はそれぞれ一つの円弧縁２２１/２３１を形成する。
【００２０】
第一弾性アーム２１０はカバーチューブ２００の円周の周りに沿って、カバーチューブ２００の一端に輪列し、  第二弾性アーム２２０はカバーチューブ２００の円周の周りに沿って、カバーチューブ２００の別端に輪列し、且つ  第三弾性アーム２３０はカバーチューブ２００の円周の周りに沿って、カバーチューブ２００の二端の間に輪列する。しかも第一弾性アーム２１０、第二弾性アーム２２０及び第三弾性アーム２３０はカバーチューブ２００の円周の周りに沿って交互に交差して輪列に配置する。本実施例において、各層の平面の中にある各弾性アームの最良実施例の長さは全て同じ長さであるが、本考案はそれを制限せず、異なる長さの弾性アームもまた、カバーチューブ２００の円周の周りに沿って、同じ層の平面に交互に交差して輪列することができる。
【００２１】
チューブバッグ３００の一端は開口状を呈し、且つカバーチューブ２００をチューブバッグ３００の開口端に入れてから更にチューブバッグ３００と一緒に開口端をリングウィングプレート１００のカバーホール１０１内に入れることで、チューブバッグ３００の開口端はカバーホール１０１の内壁及びカバーチューブ２００の外壁の間を夾持する。これによりリングウィングプレート１００、カバーチューブ２００及びチューブバッグ３００は固定して互いに接続する。
【００２２】
図５から図７に示すように、本考案のハンドルカバーに外径が第二弾性アームと対応する一つのハンドル１１と套接する様子を例に挙げ、本考案の使用状態を説明する。ハンドル１１は内リング２３を通過してチューブバッグ３００に挿入し、このハンドル１１は第一弾性アーム２１０及び第三弾性アーム２３０を干渉し、それぞれ第一弾性アーム２１０及び第三弾性アーム２３０を彎曲させることで、彎曲する第一弾性アーム２１０及び第三弾性アーム２３０が生じる弾性力により、ハンドル１１を夾持し、チューブバッグ３００を固定する。同時に第二弾性アーム２２０は該末端の円弧縁２２１がハンドル１１と接触することで、第二弾性アーム２２０とハンドル１１との間の接触面積を増やすことで摩擦力も増し、更にカバーチューブ２００とハンドル１１の相対位置を定位することで、カバーチューブ２００が動くのを避ける。
【００２３】
上述をまとめると、本考案の手術ライト用ハンドルカバーの弾性アームは様々な長さを具有し、多種の異なる外径のハンドル１１に適用することができる。また、弾性アームは同じ一つのカバーチューブ２００に形成することで、弾性アーム同士が滑って変位し、ハンドルカバーが緩んで外れるのを避けることができる。
【００２４】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２５】
１０  手術ライト
１１  ハンドル
２０  ハンドルカバー
２１  プラスティックカバー
２２  プレート
２３  内リング
２４  弾性アーム
１００  リングウィングプレート
１０１  カバーホール
２００  カバーチューブ
２０１  ブロックウォール
２０２  掛止フック
２１０  第一弾性アーム
２２０  第二弾性アーム
２２１  円弧縁
２３０  第三弾性アーム
２３１  円弧縁
３００  チューブバッグ
【図１】
0003212646.tif 000003
【図２】
0003212646.tif 000004
【図３】
0003212646.tif 000005
【図４】
0003212646.tif 000006
【図５】
0003212646.tif 000007
【図６】
0003212646.tif 000008
【図７】
0003212646.tif 000009